(57)【要約】【課題】  ＦＰＣケーブルの両側から当接して支持するコンタクトの接触部を２つの凸部で形成したことで、両側から当接する位置が少々ずれても安定した当接状態を維持するコネクタを提供する。【解決手段】  コネクタは、端部に整列状態で形成した複数の端子からなる接点を備えたＦＰＣケーブルと、ＦＰＣケーブルを差し込むケーブル挿入口を有し、前記接点と接触する第１コンタクトと、前記接点の反対側の位置と接触する第２コンタクトとを備えたコネクタと、からなり、第１コンタクトは、前記接点と接触する接触部を複数の曲面形状の凸部で形成したことである。【選択図】  図１
2006032267.tif 000002
【特許請求の範囲】
【請求項１】
端部に整列状態で形成した複数の端子からなる接点を備えたＦＰＣケーブルと、
前記ＦＰＣケーブルを差し込むケーブル挿入口を有し、前記端子を当接して接触する第１コンタクトと前記接点の反対側の位置を当接する第２コンタクトとを前記端子の数だけ備えたコネクタと、からなり、
前記第１コンタクトは、前記端子に当接して接触する接触部を複数の曲面形状の凸部で形成したことを特徴とするコネクタ。
【請求項２】
前記第２コンタクトは、前記接点の反対側の位置に当接して接触する接触部を複数の曲面形状の凸部で形成したことを特徴とする請求項１に記載のコネクタ。
【請求項３】
前記第１コンタクトの複数の曲面形状の凸部は、前記ＦＰＣケーブルの挿抜方向に設けた２つの曲面形状の凸部であることを特徴とする請求項１に記載のコネクタ。
【請求項４】
前記第２コンタクトの複数の曲面形状の凸部は、前記ＦＰＣケーブルの挿抜方向に設けた２つの曲面形状の凸部であることを特徴とする請求項２に記載のコネクタ。
【発明の詳細な説明】
【技術分野】
【０００１】
本発明は、コネクタに関し、詳しくはＦＰＣ／ＦＦＣコネクタにおいてＦＰＣケーブルを差し込んだときにそのＦＰＣケーブルの接点に接触するコンタクトの接触部に改良を加えて、ケーブルの両面から挟み込んでも良好に接触できる構造のＦＰＣ／ＦＦＣコネクタに関する。
【背景技術】
【０００２】
従来技術におけるＦＰＣケーブルとコンタクトするコネクタ１０は、図３及び図５〜図７に示すように、薄型の直方体形状に形成されたハウジング１１と、このハウジング内部に整列状態で形成されたＦＰＣケーブル３５の端子３７の数だけ備えた端子係合室１０Ａを設け、この端子係合室１０Ａにはハウジング１１の前方方向から挿入係止する第２コンタクト１２と、ハウジング１１の後方方向から挿入係止する第１コンタクト１３とを備えた構成になっている。
ハウジング１１に設けた端子係合室１０Ａは、前方方向にＦＰＣケーブル３５を挿入するためのケーブル挿入口１４を設け、その内部空間手前にケーブル３５を収容するケーブル収容部１５を設け、その奥空間に第２コンタクト１２を係合係止して収容する第２収容部１６を設け、最も奥空間に第１コンタクト１３を係合係止して収容する第１収容部１７を設け、この第１収容部１７の略中間位置にＦＰＣケーブル３５の挿入位置を決めるケーブル係止部１８を備えた構造となっている。
【０００３】
又、ハウジング１１の端子係合室１０Ａの天井面には一部開口として開放窓１９を設け、ケーブル収容部１５の底部には第２コンタクト１２を係止する第２係合部２０を備え、第１収容部１７の底部には第１コンタクト１３を係止する第１係合部２１を設けた構造となっている。
更に、ケーブル挿入口１４に連続した上部位置にケーブル３５を挿入方向にガイドする上部ケーブルガイド部２２と、同じくケーブル挿入口１４に連続した下部位置にケーブル３５を挿入方向にガイドする下部ケーブルガイド部２３とを設けた構造になっている。
【０００４】
第１コンタクト１３は、導電性部材で形成され、ボード等に接続するための外部に露出した状態に形成されている第１接続部２５と、第１接続部２５から直交する方向に折り曲げて第１基部２６を形成し、更に第１基部２６を第１接続部２５とは反対方向の直交する方向に折り曲げて第１連結部２７を形成し、この第１連結部２７に連設した先端に単一の曲面形状に形成した第１接触部２８とからなる。このように折り曲げて形成した第１コンタクト１３において、第１基部２６が第１係合部２１に係合して係止されると、第１連結部２７が弾性状態となり、単一の曲面形状の第１接触部２８がＦＰＣケーブル３５の端子３７に接触して持ち上がるとその持ち上がった分だけ端子３７方向に弾性力を与える。
【０００５】
第２コンタクト１２は、金属性部材で形成され、ボード等に接続するための外部に露出した状態に形成されている第２接続部３０と、第２接続部３０から略同じ方向に折り曲げて第２基部３１を形成し、更に、第２基部３１を傾斜するように曲げて第２連結部３２を形成し、この第２連結部３２に連設した先端に単一の曲面形状に形成した第２接触部３３とからなる。このように折り曲げて形成した第２コンタクト１２において、第２基部３１が第２係合部２０に係合して係止されると、第２連結部３２が弾性状態となり、第２接触部３３がＦＰＣケーブル３５の補強板３９に接触して弾性変形し、その弾性変形した分だけ補強板３９方向に弾性力を与える。
【０００６】
ＦＰＣケーブル３５は、図３及び図９に示すように、フラットでフレキシブルに形成され、そのケーブル３６の端部には整列状態に等間隔で配置された端子３７からなる接点３８と、この接点３８の背面にあたる反対側に補強板３９を取付けた構造となっている。
【０００７】
このような構成からなるコネクタ１０において、ハウジング１１内には、ハウジング１１の後面から装着した第１コンタクト１３、及び前面から装着した第２コンタクト１２が存在し、その第１接触部２８及び第２接触部３３が所定の間隔を持って離隔して対峙した状態に位置した構造となっている。
そして、図４に示すように、このコネクタ１０にＦＰＣケーブル３５を挿入して装着すると、先ず、ＦＰＣケーブル３５の先端側の接点３８が上側、補強板３９が下側にして、ケーブル挿入口１４から差し込むと接点３８は上部ケーブルガイド部２２によりガイドされ、補強板３９は下部ケーブルガイド部２３によりガイドされ、更に奥方向にガイドされ、接点３８が第１コンタクト１３の第１接触部２８に当接して上方向に押し上げることで弾性付与され、補強板３９が第２コンタクト１２の第２接触部３３に当接して下方向に押し下げることで弾性付与される。即ち、ケーブル３５は、上下面の接点３８及び補強板３９の両面が第１コンタクト１３の第１接触部２８及び第２コンタクト１２の第２接触部３３の両方で上下から当接された状態で支持される。
【０００８】
【特許文献１】特開２００２−１５８０５５号（第５頁〜７頁、第１図）
【発明の開示】
【発明が解決しようとする課題】
【０００９】
しかしながら、上記背景技術の項で説明した従来技術のコネクタにおいては、ＦＰＣケーブルの接点と補強板の両面を当接した状態で支持することになるが、ケーブル自体が挿入して接触状態を維持しているときには、コンタクトの接触圧のみで保持され、単一の曲面形状の凸部でケーブルの両側から押圧しているために、押圧している位置がずれると、その分接触状態が不安定になるという問題がある。
【００１０】
従って、小型化及び実装密度が高くなっているＦＰＣケーブル及びコネクタの構造において、ケーブルを挟んだ状態で接触する独立したコンタクトを有する構造のコネクタにおいて、接触状態を良好に維持する構造に解決しなければならない課題を有する。
【課題を解決するための手段】
【００１１】
上記課題を解決するために、本発明に係るコネクタは、次に示す構成にすることである。
【００１２】
（１）コネクタは、端部に整列状態で形成した複数の端子からなる接点を備えたＦＰＣケーブルと、前記ＦＰＣケーブルを差し込むケーブル挿入口を有し、前記接点と接触する第１コンタクトと、前記接点の反対側の位置と接触する第２コンタクトとを備えたコネクタと、からなり、前記第１コンタクトは、前記接点と接触する接触部を複数の曲面形状の凸部で形成したことである。
（２）前記第２コンタクトは、前記接点の反対側の位置に接触する接触部を複数の曲面形状の凸部で形成したことを特徴とする（１）に記載のコネクタ。
（３）前記第１コンタクトの複数の曲面形状の凸部は、２つの曲面形状の凸部であることを特徴とする（１）に記載のコネクタ。
（４）前記第２コンタクトの複数の曲面形状の凸部は、２つの曲面形状の凸部であることを特徴とする（２）に記載のコネクタ。
【発明の効果】
【００１３】
本発明のコネクタは、ＦＰＣケーブルの上下の両側から押圧して支持するコンタクトの接触部を曲面形状の複数の凸部で形成したことで、両側で支持する接触部の位置がずれても安定した状態で支持できるようになり、ケーブルの端子とコンタクトとの接触状態を安定させることができる。
【発明を実施するための最良の形態】
【００１４】
次に、本発明に係るコネクタの実施例について、図面を参照して説明する。尚、従来技術で説明したものと同じものには同一符号を付与して説明する。
【実施例１】
【００１５】
本願発明に係る第１実施例のコネクタは、図１及び図５〜図７に示すように、薄型の直方体形状に形成されたハウジング１１と、このハウジング１１内部に整列状態で形成されたＦＰＣケーブル３５の端子３７の数だけ揃えた端子係合室１０Ａを設け、この端子係合室１０Ａにはハウジング１１の前方方向から挿入され係合係止されている第２コンタクト１２と、ハウジング１１の後方方向から挿入され係合係止されている第１コンタクト１３とを備えた構成となっている。
【００１６】
ハウジング１１に設けた端子係合室１０Ａは、前方方向にＦＰＣケーブル３５を挿入するためのケーブル挿入口１４を設け、その内部空間手前にケーブル３５を収容するケーブル収容部１５を設け、その奥空間に第２コンタクト１２を係合係止して収容する第２収容部１６を設け、最も奥空間に第１コンタクト１３を係合係止して収容する第１収容部１７を設け、この第１収容部１７の略中央位置にＦＰＣケーブル３５の挿入位置を決めるケーブル係止部１８を備えた構造となっている。
【００１７】
又、ハウジング１１の端子係合室１０Ａの天井面には一部開口として開放窓１９を設け、ケーブル収容部１５の底部には第２コンタクト１２を係止する第２係合部２０を備え、第１収容部１７の底部には第１コンタクト１３を係止する第１係合部２１を設けた構造となっている。
更に、ケーブル挿入口１４に連続した上部位置にケーブル３５を挿入方向にガイドする上部ケーブルガイド部２２と、同じくケーブル挿入口１４に連続した下部位置にケーブル３５を挿入方向にガイドする下部ケーブルガイド部２３とを設けた構造になっている。
【００１８】
第１コンタクト１３は、導電性部材で形成され、ボード等に接続するための外部に露出した状態に形成されている第１接続部２５と、第１接続部２５から直交する方向に折り曲げて第１基部２６を形成し、更に、第１基部２６を第１接続部２５とは反対方向の直交する方向に折り曲げて第１連結部２７を形成し、この第１連結部２７に連設した先端に曲面形状に形成した第１接触部２８とからなる。
第１接触部２８は、ケーブル３５の挿抜方向に曲面形状に形成された２つの凸部２８ａ、２８ｂからなり、全体としてＷ形状の接触部位で形成されている。ここで、２つの凸部２８ａ、２８ｂで形成したがこれに限定されることなく、第２コンタクト１２の第２接触部３３とで挟み込む位置関係をラフな構造にすることが主要な目的であるため、その凸部の数は複数であればよい。
【００１９】
このように折り曲げて形成した第１コンタクト１３において、第１基部２６が第１係合部２１に係合して係止されると、第１連結部２７が弾性状態となり、第１接触部２８がＦＰＣケーブル３５の端子３７に接触して持ち上がるとその持ち上がった分だけ端子３７方向に弾性力を与える。
【００２０】
第２コンタクト１２は、金属性部材で形成され、ボード等に接続するための外部に露出した状態に形成されている第２接続部３０と、第２接続部３０から略同じ方向に折り曲げて第２基部３１を形成し、更に、第２基部３１を傾斜するように曲げて第２連結部３２を形成し、この第２連結部３２に連設した先端に曲面形状に形成した第２接触部３３とからなる。
第２接触部３３は、ケーブル３５の挿抜方向に曲面形状に形成された２つの凸部３３ａ、３３ｂからなり、全体としてＷ形状の接触部位で形成されている。ここで、２つの凸部３３ａ、３３ｂで形成したがこれに限定されることなく、第１コンタクト１３の第１接触部２８とで挟み込む位置関係をラフな構造にすることが主要な目的であるため、その凸部の数は単数或は複数でもよい。
このように折り曲げて形成した第２コンタクト１２において、第２基部３１が第２係合部２０に係合して係止されると、第２連結部３２が弾性状態となり、第２接触部３３がＦＰＣケーブル３５の補強板３９に接触して弾性変形し、その弾性変形した分だけ補強板３９方向に弾性力を与える。
【００２１】
ＦＰＣケーブル３５は、従来技術で説明したものと同じであり、図１及び図１１に示すように、フラットでフレキシブルに形成されたケーブル３６であり、その端部には整列状態に等間隔で配置された端子３７からなる接点３８と、この接点３８の反対側の背面にあたる反対側に補強板３９を取付けた構造となっている。この接点３８の奥行き長さが補強板３９の奥行き長さよりも短く形成されている。
【００２２】
このような構成からなるコネクタ１０は、図８に示すように、ボード８０に設けたコネクタ配置部８３の接続係止部８１、８２に第１接続部２５及び第２接続部３０を接触させてハンダ付け等により接続することでボード８０に固定する。
【００２３】
このようにしてボードに装着されたコネクタ１０において、図１に示すように、ハウジング１１内には、ハウジング１１の後面から装着した第１コンタクト１３、及び前面から装着した第２コンタクト１２が存在し、その第１接触部２８と第２接触部３３が所定の間隔を持って離隔して対峙した状態に位置した構造となっている。
【００２４】
そして、図２に示すように、このコネクタ１０にＦＰＣケーブル３５を挿入して装着すると、先ず、ＦＰＣケーブル３５の先端側の接点３８が上側、補強板３９が下側にして、ケーブル挿入口１４から差し込むと接点３８は上部ケーブルガイド部２２によりガイドされ、補強板３９は下部ケーブルガイド部２３によりガイドされ、更に奥方向にガイドされ、接点３８が第１コンタクト１３の第１接触部２８の２つの凸部２８ａ、２８ｂに当接して上方向に押し上げることで弾性付与され、補強板３９が第２コンタクト１２の第２接触部３３の２つの凸部３３ａ、３３ｂに当接して下方向に押し下げることで弾性付与される。
即ち、ケーブル３５は、上下面の接点３８及び補強板３９の両面が第１接触部２８の２つの凸部２８ａ、２８ｂ及び第２接触部３３の２つの凸部３３ａ、３３ｂの両方で上下から当接された状態で支持される。このように、ケーブルの両側から当接する長さを長くした構造にすることで、当接する位置関係に微妙なズレがあっても、どちらかの凸部が他方の接触部の凸部との位置関係を略同じくすることができ、当接状態の不具合さを解消できる。
同時に、補強板３９の内側端縁４０がガイド引掛部２４に係合することで、そのままで抜こうとしても補強板引掛部２４に補強板３９の端縁４０が接合した状態となりケーブル３５は抜けない。このようにして、ケーブル３５が挿入されると、その端子３７がコンタクト１３の接触部２８に接触した状態となり、その時には補強板引掛部２４に補強板３９の端縁４０が係合しているか、係合できる位置にあるため、外部からの衝撃やこじりによる挿抜方向の動きはごく限られたものになり、安定した接続状態を維持することができる。
そして、ＦＰＣケーブル３５を抜く時にはケーブル自体を少々上方向に持ち上げることで補強板引掛部２４に係合している補強板３９の端縁４０を外すことで簡単に抜くことができる。
【産業上の利用可能性】
【００２５】
本発明のコネクタは、ＦＰＣケーブルの上下の両側から押圧して支持するコンタクトの接触部を複数の凸部で形成したことで、両側で支持する接触部の位置がずれても安定した状態で支持できるコネクタを提供する。
【図面の簡単な説明】
【００２６】
【図１】本願発明に係るコネクタの断面図である。
【図２】同、ＦＰＣケーブルを挿入したときのコネクタの断面図である。
【図３】従来技術におけるコネクタの断面図である。
【図４】同、ＦＰＣケーブルを挿入したときのコネクタの断面図である。
【図５】コネクタの平面図である。
【図６】コネクタの正面図である。
【図７】コネクタの側面図である。
【図８】コネクタを載置するボードの一部を示したものである、
【図９】ＦＰＣケーブルの先端部位の接点の構造を示した平面図である。
【符号の説明】
【００２７】
１０；コネクタ、１０Ａ；端子係合室、１１；ハウジング、１２；押えバネ、１３；コンタクト、１４；ケーブル挿入口、１５；ケーブル収容部、１６；押えバネ収容部、１７；コンタクト収容部、１８；ケーブル係止部、１９；開放窓、２０；押えバネ係合部、２１；コンタクト係合部、２２；上部ケーブルガイド部、２３；下部ケーブルガイド部、２４；補強板引掛部、２５；接続部、２６；基部、２７；連結部、２８；接触部、２８ａ；凸部、２８ｂ；凸部、３０；押え接続部、３１；押え基部、３２；押え連結部、３３；押え接触部、３３ａ；凸部、３３ｂ；凸部、３５；ＦＰＣケーブル、３６；ケーブル、３７；端子、３８；接点、３９；補強板、４０；端縁。
【図１】
2006032267.tif 000003
【図２】
2006032267.tif 000004
【図３】
2006032267.tif 000005
【図４】
2006032267.tif 000006
【図５】
2006032267.tif 000007
【図６】
2006032267.tif 000008
【図７】
2006032267.tif 000009
【図８】
2006032267.tif 000010
【図９】
2006032267.tif 000011